(57)【要約】【課題】本発明は工業用防塵マスクを開示した。【解決手段】マスクを含み、前記マスクにはヘッドバンドが設けられ、前記マスクの中には呼吸チャンバが設けられ、前記呼吸チャンバの中には除塵装置が設けられ、前記除塵装置の右側にはろ過装置が設けられ、前記呼吸チャンバの中には風吸い装置が設けられ、本発明は構造が簡単で、操作が便利で、空気を吸い込んで間欠的にろ過網にある粉塵を除去することによって、呼吸に需要な空気流入量を保証し、また一部分のエネルギーを回収してマスクの使用時間を伸ばし、使用と宣伝価値がある。【選択図】図１
2020175058.tif 000002
【特許請求の範囲】
【請求項１】
マスクを含み、前記マスクにはヘッドバンドが設けられ、前記マスクの中には呼吸チャンバが設けられ、前記呼吸チャンバの中には除塵装置が設けられ、前記除塵装置の右側にはろ過装置が設けられ、前記呼吸チャンバの中には風吸い装置が設けられ、前記呼吸チャンバの底壁の中には発電チャンバが設けられ、前記発電チャンバの中には発電装置が設けられ、前記発電チャンバの左壁の中には動力チャンバが設けられ、前記動力チャンバの中には動力装置が設けられ、前記動力装置は前記動力チャンバの右壁の中に設置されるモータを含み、前記動力チャンバの中には前記モータと伝動できるように連結される主軸が設けられ、前記主軸の左端には主プーリが設けられ、前記主軸の外壁には主傘歯車が設けられ、
前記動力装置によって前記風吸い装置を回転連動させることができ、空気を自動的に吸込み、間欠的に前記除塵装置を回転連動させ、マスクにある埃を除去することを特徴とする工業用防塵マスク。
【請求項２】
前記ろ過装置は前記呼吸チャンバの左端に設けられる外ろ過網を含み、前記呼吸チャンバの中には内ろ過網が左右に対称的に設けられ、前記内ろ過網の上端には蝶ボルトが回転できるように設けられ、前記蝶ボルトと前記マスクの上壁とがねじ山によって連結され、、前記マスクの底壁には六組の空気出穴が環状のように排列され、前記空気出穴の中には一方向軸が設けられ、前記一方向軸の外壁にはバルブブロックが設けられ、前記一方向軸と前記空気出穴の内壁との間には復帰撥条が弾性的に設けられ、
前記ろ過装置によって複数回に前記マスクの中に入る空気をろ過でき、吸う空気の清潔度を保証することを特徴とする請求項１に記載の工業用防塵マスク。
【請求項３】
前記風吸い装置は前記呼吸チャンバの中に設けられる中空軸を含み、前記中空軸の左端には風吸いファンが設けられ、前記中空軸の右端には従プーリが設けられ、前記従プーリと前記主プーリとの間にはベルトが伝動できるように設けられ、
前記風吸い装置によって自動的に空気を吸い込むことができ、前記マスクの中の空気を増やすことを特徴とする請求項２に記載の工業用防塵マスク。
【請求項４】
前記除塵装置は前記呼吸チャンバの中に設けられる心棒を含み、前記心棒の左端には除塵ロッドが設けられ、前記除塵ロッドの右端には刷毛が設けられ、前記心棒の右端には従傘歯車が設けられ、前記動力チャンバの中には従軸が設けられ、前記従軸の頂端には扇形傘歯車が設けられ、前記従軸の底端には前記主傘歯車と噛み合う下傘歯車が設けられ、前記心棒の外壁と前記外ろ過網の間にはねじりばねが弾性的に設けられ、
前記除塵装置によって前記外ろ過網の左端面の埃を除去でき、前記マスクの空気流入量を保証することを特徴とする請求項２に記載の工業用防塵マスク。
【請求項５】
前記発電装置は前記発電チャンバの右壁の中に設けられる転換チャンバを含み、前記転換チャンバの中には転換軸が設けられ、前記転換軸の底端には発電ファンが設けられ、前記転換軸の頂端には正傘歯車が設けられ、前記発電チャンバの中には加速軸が設けられ、前記加速軸の右端には副傘歯車が設けられ、前記加速軸の左端にリングギヤが設けられ、前記発電チャンバの中には発電軸が設けられ、前記発電軸の右端には太陽歯車が設けられ、前記太陽歯車と前記リングギヤとの間には遊星歯車が伝動できるように設けられ、前記発電軸の左端には永久磁石が設けられ、前記発電チャンバの中にはコイルが設けられ、前記呼吸チャンバの底壁の中には電池が設けられ、
前記発電装置によって呼吸過程中に生じた一部分のエネルギーを回収でき、マスクの使用時間を伸ばすことを特徴とする請求項１に記載の工業用防塵マスク。
【発明の詳細な説明】
【技術分野】
【０００１】
本発明は労働防護分野に関し、具体的には工業用防塵マスクである。
【背景技術】
【０００２】
労働者の健康が幅広く注目を集めている現在、作業現場の環境が悪劣であり、空気中には高濃度の粉塵が漂っており、労働者たらの健康を脅かす。しかし、現在の工業防塵マスクを長時間使うと、息のつまりが厳重になるため、呼吸に負担がない工業用防塵マスクを提供するには本発明の旨である。
【先行技術文献】
【特許文献】
【０００３】
【特許文献１】中国特許出願公開第１０７５４９８９６号明細書
【発明の概要】
【発明が解決しようとする課題】
【０００４】
本発明の目的は工業用防塵マスクを提供し、それは上記の現在の技術中の問題を解決できる。
【課題を解決するための手段】
【０００５】
本発明は以下の技術プランを通じて実現する：本発明の工業用防塵マスクは、マスクを含み、前記マスクにはヘッドバンドが設けられ、前記マスクの中には呼吸チャンバが設けられ、前記呼吸チャンバの中には除塵装置が設けられ、前記除塵装置の右側にはろ過装置が設けられ、前記呼吸チャンバの中には風吸い装置が設けられ、前記呼吸チャンバの底壁の中には発電チャンバが設けられ、前記発電チャンバの中には発電装置が設けられ、前記発電チャンバの左壁の中には動力チャンバが設けられ、前記動力チャンバの中には動力装置が設けられ、前記動力装置は前記動力チャンバの右壁の中に設置されるモータを含み、前記動力チャンバの中には前記モータと伝動できるように連結される主軸が設けられ、前記主軸の左端には主プーリが設けられ、前記主軸の外壁には主傘歯車が設けられ、
前記動力装置によって前記風吸い装置を回転連動させることができ、空気を自動的に吸込み、間欠的に前記除塵装置を回転連動させ、マスクにある埃を除去する。
【０００６】
優選的には、前記ろ過装置は前記呼吸チャンバの左端に設けられる外ろ過網を含み、前記呼吸チャンバの中には内ろ過網が左右に対称的に設けられ、前記内ろ過網の上端には蝶ボルトが回転できるように設けられ、前記蝶ボルトと前記マスクの上壁とがねじ山によって連結され、、前記マスクの底壁には六組の空気出穴が環状のように排列され、前記空気出穴の中には一方向軸が設けられ、前記一方向軸の外壁にはバルブブロックが設けられ、前記一方向軸と前記空気出穴の内壁との間には復帰撥条が弾性的に設けられ、
前記ろ過装置によって複数回に前記マスクの中に入る空気をろ過でき、吸う空気の清潔度を保証する。
【０００７】
優選的には、前記風吸い装置は前記呼吸チャンバの中に設けられる中空軸を含み、前記中空軸の左端には風吸いファンが設けられ、前記中空軸の右端には従プーリが設けられ、前記従プーリと前記主プーリとの間にはベルトが伝動できるように設けられ、
前記風吸い装置によって自動的に空気を吸い込むことができ、前記マスクの中の空気を増やす。
【０００８】
優選的には、前記除塵装置は前記呼吸チャンバの中に設けられる心棒を含み、前記心棒の左端には除塵ロッドが設けられ、前記除塵ロッドの右端には刷毛が設けられ、前記心棒の右端には従傘歯車が設けられ、前記動力チャンバの中には従軸が設けられ、前記従軸の頂端には扇形傘歯車が設けられ、前記従軸の底端には前記主傘歯車と噛み合う下傘歯車が設けられ、前記心棒の外壁と前記外ろ過網の間にはねじりばねが弾性的に設けられ、
前記除塵装置によって前記外ろ過網の左端面の埃を除去でき、前記マスクの空気流入量を保証する。
【０００９】
優選的には、前記発電装置は前記発電チャンバの右壁の中に設けられる転換チャンバを含み、前記転換チャンバの中には転換軸が設けられ、前記転換軸の底端には発電ファンが設けられ、前記転換軸の頂端には正傘歯車が設けられ、前記発電チャンバの中には加速軸が設けられ、前記加速軸の右端には副傘歯車が設けられ、前記加速軸の左端にリングギヤが設けられ、前記発電チャンバの中には発電軸が設けられ、前記発電軸の右端には太陽歯車が設けられ、前記太陽歯車と前記リングギヤとの間には遊星歯車が伝動できるように設けられ、前記発電軸の左端には永久磁石が設けられ、前記発電チャンバの中にはコイルが設けられ、前記呼吸チャンバの底壁の中には電池が設けられ、
前記発電装置によって呼吸過程中に生じた一部分のエネルギーを回収でき、マスクの使用時間を伸ばす。
【発明の効果】
【００１０】
本発明の有益効果は：本発明は構造が簡単で、操作が便利で、空気を吸い込んで間欠的にろ過網にある粉塵を除去することによって、呼吸に需要な空気流入量を保証し、また一部分のエネルギーを回収してマスクの使用時間を伸ばし、使用と宣伝価値がある。
【図面の簡単な説明】
【００１１】
説明しやすいため、本発明は以下の具体的な実施例と付図を交え詳しく説明する。
【００１２】
【図１】図１は本発明の工業用防塵マスクの全体構成略図
【図２】図２は図１のＡ−Ａの構成略図
【図３】図３は図１のＢの構成略図
【発明を実施するための形態】
【００１３】
下記に図１−３を合わせて本発明を詳しく説明し、意思の疎通をもっと便利にすることができるため、後文に出る方位を下記の通りに規定する：下記に述べた上下左右前後の方向は図１自体の投影関係の上下左右前後の方向と一致している。
【００１４】
図１−３の示すように、本発明の工業用防塵マスクは、マスク１１を含み、前記マスク１１にはヘッドバンド４７が設けられ、前記マスク１１の中には呼吸チャンバ４９が設けられ、前記呼吸チャンバ４９の中には除塵装置１００が設けられ、前記除塵装置１００の右側にはろ過装置２００が設けられ、前記呼吸チャンバ４９の中には風吸い装置３００が設けられ、前記呼吸チャンバ４９の底壁の中には発電チャンバ５０が設けられ、前記発電チャンバ５０の中には発電装置４００が設けられ、前記発電チャンバ５０の左壁の中には動力チャンバ２２が設けられ、前記動力チャンバ２２の中には動力装置５００が設けられ、前記動力装置５００は前記動力チャンバ２２の右壁の中に設置されるモータ２９を含み、前記動力チャンバ２２の中には前記モータ２９と伝動できるように連結される主軸２６が設けられ、前記主軸２６の左端には主プーリ２５が設けられ、前記主軸２６の外壁には主傘歯車２８が設けられ、
前記動力装置５００によって前記風吸い装置３００を回転連動させることができ、空気を自動的に吸込み、間欠的に前記除塵装置１００を回転連動させ、マスクにある埃を除去する。
【００１５】
有益的には、前記ろ過装置２００は前記呼吸チャンバ４９の左端に設けられる外ろ過網１４を含み、前記呼吸チャンバ４９の中には内ろ過網３０が左右に対称的に設けられ、前記内ろ過網３０の上端には蝶ボルト３１が回転できるように設けられ、前記蝶ボルト３１と前記マスク１１の上壁とがねじ山によって連結され、、前記マスク１１の底壁には六組の空気出穴５１が環状のように排列され、前記空気出穴５１の中には一方向軸４４が設けられ、前記一方向軸４４の外壁にはバルブブロック４５が設けられ、前記一方向軸４４と前記空気出穴５１の内壁との間には復帰撥条４６が弾性的に設けられ、
前記ろ過装置２００によって複数回に前記マスク１１の中に入る空気をろ過でき、吸う空気の清潔度を保証する。
【００１６】
有益的には、前記風吸い装置３００は前記呼吸チャンバ４９の中に設けられる中空軸１７を含み、前記中空軸１７の左端には風吸いファン１５が設けられ、前記中空軸１７の右端には従プーリ１８が設けられ、前記従プーリ１８と前記主プーリ２５との間にはベルト２１が伝動できるように設けられ、
前記風吸い装置３００によって自動的に空気を吸い込むことができ、前記マスク１１の中の空気を増やす。
【００１７】
有益的には、前記除塵装置１００は前記呼吸チャンバ４９の中に設けられる心棒１６を含み、前記心棒１６の左端には除塵ロッド１２が設けられ、前記除塵ロッド１２の右端には刷毛１３が設けられ、前記心棒１６の右端には従傘歯車１９が設けられ、前記動力チャンバ２２の中には従軸２３が設けられ、前記従軸２３の頂端には扇形傘歯車２０が設けられ、前記従軸２３の底端には前記主傘歯車２８と噛み合う下傘歯車２４が設けられ、前記心棒１６の外壁と前記外ろ過網１４の間にはねじりばね４８が弾性的に設けられ、
前記除塵装置１００によって前記外ろ過網１４の左端面の埃を除去でき、前記マスク１１の空気流入量を保証する。
【００１８】
有益的には、前記発電装置４００は前記発電チャンバ５０の右壁の中に設けられる転換チャンバ４１を含み、前記転換チャンバ４１の中には転換軸３９が設けられ、前記転換軸３９の底端には発電ファン３８が設けられ、前記転換軸３９の頂端には正傘歯車４０が設けられ、前記発電チャンバ５０の中には加速軸４３が設けられ、前記加速軸４３の右端には副傘歯車４２が設けられ、前記加速軸４３の左端にリングギヤ３７が設けられ、前記発電チャンバ５０の中には発電軸３４が設けられ、前記発電軸３４の右端には太陽歯車３５が設けられ、前記太陽歯車３５と前記リングギヤ３７との間には遊星歯車３６が伝動できるように設けられ、前記発電軸３４の左端には永久磁石３３が設けられ、前記発電チャンバ５０の中にはコイル３２が設けられ、前記呼吸チャンバ４９の底壁の中には電池２７が設けられ、
前記発電装置４００によって呼吸過程中に生じた一部分のエネルギーを回収でき、マスクの使用時間を伸ばす。
【００１９】
使用する時、マスクを頭にかけ、モータ２９が始動して主軸２６によって主プーリ２５と、主傘歯車２８を回転連動させ、主プーリ２５が従プーリ１８と中空軸１７によって風吸いファン１５を回転連動させ、空気を吸込み、前記主傘歯車２８が下傘歯車２４と、従軸２３と、扇形傘歯車２０と、従傘歯車１９と、心棒１６とによって除塵ロッド１２を連動させて間欠的に半周を回転させ、更に刷毛１３を連動させて外ろ過網１４をこすって洗わせ、外ろ過網１４の表面の埃を除去し、同時に、呼吸チャンバ４９の中の余分な空気が空気出穴５１を通してマスク１１の外部に吹かれ、更に発電ファン３８を吹いて回転させ、更に内ろ過網３０と、正傘歯車４０と、副傘歯車４２と、加速軸４３と、リングギヤ３７と、遊星歯車３６と、太陽歯車３５と、発電軸３４とによって永久磁石３３を回転連動させ、永久磁石３３とコイル３２との相対的な運動が発生し、それにより電流が生じて電池２７の中に蓄えられる。
【００２０】
本発明の有益効果は：本発明は構造が簡単で、操作が便利で、空気を吸い込んで間欠的にろ過網にある粉塵を除去することによって、呼吸に需要な空気流入量を保証し、また一部分のエネルギーを回収してマスクの使用時間を伸ばし、使用と宣伝価値がある。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175058.tif 000003
【図２】
2020175058.tif 000004
【図３】
2020175058.tif 000005